(57)【特許請求の範囲】
【請求項１】
節が一つで、その節が打ち抜かれた無底筒状の竹材で形成され、節を挟んで一端側がそのまま、苗木または苗竹を植え込む筒状部分として残り、他端側が切り欠かれて、土中に打ち込む杭状部分となっていることを特徴とする植栽用竹具。
【請求項２】
竹材の直径が１５〜２０ｃｍであることを特徴とする請求項１記載の植栽用竹具。
【請求項３】
竹材が孟宗竹であることを特徴とする請求項１または２記載の植栽用竹具。
【請求項４】
請求項１、２または３記載の植栽用竹具を杭状部分を下に向けて土中に打ち込み、筒状部分に苗木または苗竹を植え込むことを特徴とする植栽用竹具を用いた植栽方法。
【請求項５】
請求項１、２または３記載の植栽用竹具を杭状部分を下に向けて傾斜地の土中に打ち込み、筒状部分に蓬莱竹その他のバンブー種の苗竹を植え込むことを特徴とする植栽用竹具を用いた斜面緑化工法。
【発明の詳細な説明】
【技術分野】
【０００１】
本発明は、植栽、特に山林あるいは造成地等の傾斜地や火山灰台地等の緑化のための植栽に好適な竹具および該竹具を用いた植栽方法並びに斜面緑化工法に関する。
【背景技術】
【０００２】
山林や造成地等の傾斜地の斜面（法面）に苗木を植える場合、穴を掘って植えるだけでは苗木を安定して保持固定できないことが多く、そのため、苗木の大小にかかわらず木の杭や竹の支柱を打ち込んで固定しなければならないのが普通である。地質が軟弱な火山灰台地等では、平地でもそうした杭や支柱が必要である。また、岩盤質の斜面ではアンカーピンを用いて苗木を保持固定することも知られている（特許文献１参照。）。
【特許文献１】特開平３−１０３５３１号公報
【発明の開示】
【発明が解決しようとする課題】
【０００３】
傾斜地の斜面に苗木を植える場合、また、平地でも地質が軟弱な火山灰台地等に苗木を植える場合、従来は上述のように木の杭や竹の支柱を打ち込んで苗木を固定しなければならず、それらの杭や支柱を大量に運搬し施工するのに人手とコストがかかっていた。
【０００４】
本発明は、こうした問題を解決するもので、植栽、特に山林あるいは造成地等の傾斜地や火山灰台地等の緑化のための植栽を、容易且つ安価に行えるようにすることを目的とする。
【課題を解決するための手段】
【０００５】
本発明は、上記課題を解決することのできる植栽用竹具および該竹具を用いた植栽方法並びに斜面緑化工法を提供するものである。
【０００６】
すなわち、本発明の植栽用竹具は、節が一つで、その節が打ち抜かれた無底筒状の竹材で形成され、節を挟んで一端側がそのまま、苗木または苗竹を植え込む筒状部分として残り、他端側が切り欠かれて、土中に打ち込む杭状部分となっていることを特徴とする。
【０００７】
この竹具は、杭状部分を下に向けて土中に打ち込み、筒状部分に苗木あるいは苗竹を植え込むことにより、杭状部分が土中に深く突き刺さって竹具がしっかりと固定される。そのため、山林や造成地等の傾斜地の斜面や地質が軟弱な火山灰台地等でも苗木あるいは苗竹の根を土中に安定させることができ、重い杭や長い支柱を用いなくても安定して保持し、育成することができる。また、筒状部分に植えた根の周りに客土とともにパルプ等の保水材を入れることで、根の活着性を高めることができる。そのため、植栽、特に山林あるいは造成地等の傾斜地の斜面や火山灰台地等の緑化のための植栽を、容易且つ安価に行うことができる。また、竹具は土中で徐々に腐り、最後は土にもどる。そのため、自然環境が損われることはない。
【０００８】
この竹具は、直径１５〜２０ｃｍの竹材で形成するのがよい。竹材の直径がこの程度あれば、通常の樹木や竹の植栽は可能である。ただし、植える苗木あるいは苗竹の大きさによっては、もっと小さい竹材を使用してもよく、逆に、もっと大きい竹材が必要な場合もある。
【０００９】
また、竹材には孟宗竹を用いるのがよい。成長した孟宗竹は太いため、各種植栽に適した大きさの竹具を作ることができる。
【００１０】
本発明の植栽用竹具は、上記のように、節が一つで、その節が打ち抜かれた竹材で形成され、節を挟んで一端側がそのまま、苗木または苗竹を植え込む筒状部分として残り、他端側が切り欠かれて、土中に打ち込む杭状部分となっている。このように節を挟んで一端側が筒状で他端側が杭状となっていることにより、竹具は頑丈で割れにくくなる。
【００１１】
また、本発明の植栽方法は、上記構成の植栽用竹具を杭状部分を下に向けて土中に打ち込み、筒状部分に苗木または苗竹を植え込むことを特徴とする。
【００１２】
これにより、苗木または苗竹の根を土中に安定して保持し、育成することができる。また、竹具の筒状部分に植えた根の周りに客土とともにパルプ等の保水材を入れることで、植物の根の活着性を高めることができる。そのため、植栽を容易且つ安価に行うことができ、特に山林あるいは造成地等の傾斜地の斜面や地質が軟弱な火山灰台地等での緑化のための植栽を容易且つ安価に行うことができる。そして、竹具は土中で徐々に腐り、最後は土にもどるため、自然環境を損うことがない。
【００１３】
また、本発明の斜面緑化工法は、上記構成の植栽用竹具を杭状部分を下に向けて傾斜地の土中に打ち込み、筒状部分に蓬莱竹その他のバンブー種の苗竹を植え込むことを特徴とする。
【００１４】
これにより、山林や造成地等の傾斜地の斜面に蓬莱竹その他のバンブー種の苗竹の根を安定して保持し、育成することができる。また、竹具の筒状部分に植えた根の周りに客土とともにパルプ等の保水材を入れることで、根の活着性を高めることができる。そのため、山林あるいは造成地等の傾斜地の緑化を容易且つ安価に行うことができる。そして、竹具は土中で徐々に腐り、最後は土にもどるため、自然環境を損うことがない。また、蓬莱竹を始めとするバンブー種の竹は、根が横に張らずに下方に強く伸びる特性があり、それが土留めとして機能し、斜面の崩壊防止に大きく貢献する。
【発明の効果】
【００１５】
以上のとおり、本発明によれば、植栽、特に山林あるいは造成地等の傾斜地の斜面や火山灰台地等の緑化のための植栽を、自然環境を損うことなく容易且つ安価に行うことができ、また、特に蓬莱竹その他のバンブー種の苗竹を山林や造成地等の傾斜地の斜面に植えることにより、緑化とともに斜面の崩壊防止に大きな効果が得られる。
【発明を実施するための最良の形態】
【００１６】
図１は、本発明の実施の形態の一例を示している。
【００１７】
この実施の形態において、植栽用竹具１（以下、竹具１という。）は、直径１５〜２０ｃｍの孟宗竹の茎の部分を節２を挟んで上下にそれぞれ３０〜３５ｃｍの長さに切り、その節２を打ち抜いて無底筒状にした竹材を使用し、その節２を挟んで一端側はそのまま筒状部分３として残し、他端側は切り欠いて杭状部分４としたものである。
【００１８】
この竹具１を用いて、例えば蓬莱竹の苗を山林や造成地等の傾斜地５の斜面に植え付ける。その際、竹具１は杭状部分４を下にして、略垂直に、筒状部分３が半ば隠れるくらいまで土６の中に打ち込む。そして、筒状部分３に苗竹７を植え込み、客土等で覆土８を施す。
【００１９】
こうして植え込んだ苗竹７は、竹具１の杭状部分４が土中に深く突き刺さって、しっかりと固定されることにより、安定して保持される。そのため、活着性が向上し、育成が容易となる。そして、蓬莱竹は成長につれ茎と葉が伸びて緑化に寄与し、地中では根が下方に強く伸びて斜面の崩壊防止に寄与する。
【００２０】
このように竹具１を用いて蓬莱竹を植えることにより、山林や造成地等の傾斜地の斜面の緑化とともに崩落防止のための施工を容易且つ安価に行うことができる。また、蓬莱竹以外のバンブー種の竹も同様にして植栽でき、それにより、山林や造成地等の傾斜地の斜面の緑化とともに崩落防止のための施工を容易且つ安価に行うことができる。
【００２１】
また、緑化用植物としては竹以外に各種樹木があり、それらの苗木を山林や造成地等の傾斜地の斜面や、地質が軟弱な火山灰台地等に植える場合にも、この竹具１を用いた緑化工法が有効で、これにより各種樹木を容易且つ安価に植栽できる。なお、火山灰台地等では、保水性が悪いため、筒状部分３に客土とともにパルプ等の保水材を入れるとよい。
【００２２】
竹具１の寸法や使用する竹材の寸法は、植える苗木や苗竹の寸法に合わせて適宜変更する。
【００２３】
また、この竹具１は、山林や造成地等の傾斜地の斜面や火山灰台地に限らず、通常の平地での植栽に使用してもよい。
【図面の簡単な説明】
【００２４】
【図１】本発明の実施の形態の一例の説明図である。
【符号の説明】
【００２５】
１  植栽用竹具
２  節
３  筒状部分
４  杭状部分
５  傾斜地
６  土
７  苗竹
８  覆土
【図１】
0004841890.tif 000002